(57)【要約】【課題】回収コンベアの故障停止時に、メダル計数機が停止する可能性を低減することで、遊技者の取得メダル計数動作の中断を無くす可能性を高めること。【解決手段】遊技媒体貸出機１２は、スロットマシン１１に隣接して設置され、遊技者による貨幣の投入時に所定数のメダルを払い出し、取得メダルの計数機能による計数後のメダルを、メダル回収コンベア４１へ排出させる下方向誘導部２９を有する。遊技媒体回収装置を、下方向誘導部２９と回収コンベア４１との間に、下方向誘導部２９から回収コンベア４１へ向かって下る傾斜状態に設置され、下方向誘導部２９からのメダル落下位置に、メダル通過用の開口３１ａが形成された傾斜板３１と、傾斜板３１の開口３１ａを塞ぐ配置位置から開口３１ａが全開状態となるまで移動可能なシャッタ板３２と、メダルが開口３１ａを通過して落下する位置に配置された貯留箱３４とを備える構成とする。【選択図】図１
2014217510.tif 000002
【特許請求の範囲】
【請求項１】
遊技媒体使用機で使用した遊技媒体を、前記遊技媒体使用機の排出部から回収搬送手段へ向けて排出して回収する遊技媒体回収装置であって、
前記排出部よりも下方に配置され、遊技媒体を貯留する貯留箱と、
前記排出部と、この排出部よりも下方側に位置する前記回収搬送手段及び前記貯留箱との間に設置され、該排出部から落下した遊技媒体を、該回収搬送手段及び前記貯留箱の何れか一方に誘導する誘導手段と
を備えることを特徴とする遊技媒体回収装置。
【請求項２】
前記誘導手段は、
前記排出部と前記回収搬送手段との間に、該回収搬送手段へ向かって下る傾斜状態に設置され、前記排出部から落下した遊技媒体を通過させて更に落下させる開口が形成された遊技媒体誘導部材と、
前記遊技媒体誘導部材に、前記開口を塞ぐ状態で配置され、この配置位置から開口が開放状態となるまで移動して保持可能なシャッタ板と
を備えて形成され、
前記貯留箱は、遊技媒体が前記開口から落下する位置に配置されている
ことを特徴とする請求項１に記載の遊技媒体回収装置。
【請求項３】
前記シャッタ板を、前記遊技媒体誘導部材の開口を塞ぐ位置から、前記開口が開放状態となるまで移動させて保持すると共に、この保持状態から前記開口を塞ぐ位置まで移動させて保持する動作を行う駆動部
を備えることを特徴とする請求項２に記載の遊技媒体回収装置。
【請求項４】
前記回収搬送手段の故障停止を検知した際に、前記駆動部に、前記開口を塞ぐ位置から前記開口が開放状態となる位置まで前記シャッタ板を移動させて保持する動作を行わせる第１制御と、前記回収搬送手段の復旧を検知した際に、前記駆動部に、前記シャッタ板をその保持状態から開口を塞ぐ位置まで移動させて保持する動作を行わせる第２制御とを行う制御部
を備えることを特徴とする請求項３に記載の遊技媒体回収装置。
【請求項５】
前記遊技媒体誘導部材の前記開口の下部の表面に、この表面と交差する方向に表面への当接位置から遊技媒体が通過可能な間隔に距離を確保した上方位置まで移動自在に配置され、その上方位置で保持可能な第２シャッタ板
を更に備えることを特徴とする請求項１〜４の何れか１項に記載の遊技媒体回収装置。
【請求項６】
前記第２シャッタ板を、前記表面への当接位置から、前記上方位置まで移動させて保持すると共に、その上方位置から前記表面への当接位置まで移動させる動作を行う第２駆動部と
を更に備えることを特徴とする請求項５に記載の遊技媒体回収装置。
【請求項７】
前記制御部は、
前記回収搬送手段の故障停止を検知した際に、前記駆動部に前記第１制御を行うと共に、
前記第２駆動部に、前記遊技媒体誘導部材の開口の下部の表面に、この表面と交差する方向に表面への当接位置から遊技媒体が通過可能な間隔に対応する距離を確保した上方位置まで移動自在に配置され、その上方位置で保持可能な第２シャッタ板を、前記表面に交差状態に当接する位置に移動する動作を行わせる第３制御と、
前記回収搬送手段の復旧を検知した際に、前記駆動部に前記第２制御を行うと共に、前記第２駆動部に、前記第２シャッタ板を前記上方位置まで移動させて保持する動作を行わせる第４制御とを行う
ことを特徴とする請求項４に記載の遊技媒体回収装置。
【請求項８】
前記遊技媒体誘導部材に載置された前記シャッタ板の下部の一辺に回転軸が設けられ、この設けられた回転軸を回転させることにより、そのシャッタ板を、前記遊技媒体誘導部材の開口を塞ぐ位置から前記開口から離反する方向に向かって、予め定められた角度回転させて保持する動作を行う回転駆動部
を備えることを特徴とする請求項２に記載の遊技媒体回収装置。
【請求項９】
前記回収搬送手段の故障停止を検知した際に、前記回転駆動部に、前記シャッタ板を前記開口を塞ぐ位置から、前記開口から離反する方向に予め定められた角度回転させて保持する動作を行わせる制御と、前記回収搬送手段の復旧を検知した際に、前記回転駆動部に、前記シャッタ板をその保持状態から開口を塞ぐ位置まで回転させて保持する動作を行わせる制御とを行う第２制御部
を備えることを特徴とする請求項８に記載の遊技媒体回収装置。
【請求項１０】
前記誘導手段は、
前記排出部と前記回収搬送手段との間に、該回収搬送手段へ向かって下る傾斜状態に設置され、該排出部から落下する遊技媒体を受け止める面を有する遊技媒体誘導部材を備えて形成され、
前記遊技媒体誘導部材は、該遊技媒体誘導部材の下部が、前記回収搬送手段の上方位置と、前記貯留箱の上方位置との相互間で移動可能となっている
ことを特徴とする請求項１に記載の遊技媒体回収装置。
【請求項１１】
前記遊技媒体誘導部材の下部が、前記回収搬送手段の上方位置と、前記貯留箱の上方位置との相互間で移動するように、該遊技媒体誘導部材を移動させる動作を行う駆動部と、
前記回収搬送手段の故障停止を検知した際に、前記駆動部に、前記遊技媒体誘導部材の下部を前記回収搬送手段の上方位置から前記貯留箱の上方位置まで移動させて保持する動作を行わせる制御と、前記回収搬送手段の復旧を検知した際に、前記駆動部に、前記遊技媒体誘導部材の下部を前記貯留箱の上方位置から前記回収搬送手段の上方位置まで移動させて保持する動作を行わせる制御とを行う制御部と
を備えることを特徴とする請求項１０に記載の遊技媒体回収装置。
【請求項１２】
前記誘導手段は、
前記排出部と前記回収搬送手段との間に、該回収搬送手段へ向かって下る傾斜状態に設置され、該排出部からの遊技媒体が落下する面を有する遊技媒体誘導部材を備えて形成され、
前記遊技媒体誘導部材は、互いが前記傾斜状態に一体に組み合わさる上方側の第１部材と下方側の第２部材とから成り、該第２部材は、その下部が前記回収搬送手段の上方に位置するように固定状態に配置され、該第１部材は、該第２部材との組合せ部分が、前記貯留箱の上方位置と、該第２部材との組合せ位置との相互間で移動可能となっている
ことを特徴とする請求項１に記載の遊技媒体回収装置。
【請求項１３】
前記第１部材の前記第２部材との組合せ部分が、前記貯留箱の上方位置と、該第２部材との組合せ位置との相互間で移動するように、該第１部材を移動させる動作を行う駆動部と、
前記回収搬送手段の故障停止を検知した際に、前記駆動部に、前記第１部材の前記第２部材との組合せ部分を前記第２部材との組合せ位置から前記貯留箱の上方位置まで移動させて保持する動作を行わせる制御と、前記回収搬送手段の復旧を検知した際に、前記駆動部に、前記第１部材の前記第２部材との組合せ部分を前記貯留箱の上方位置から前記第２部材との組合せ位置まで移動させて保持する動作を行わせる制御とを行う制御部と
を備えることを特徴とする請求項１２に記載の遊技媒体回収装置。
【発明の詳細な説明】
【技術分野】
【０００１】
本発明は、メダル等の遊技媒体の貸出を行う遊技媒体貸出機及び、遊技媒体を用いて遊技を行う遊技機といった遊技媒体使用機から排出される遊技媒体を回収する遊技媒体回収装置に関する。
【背景技術】
【０００２】
以下、遊技媒体としてのメダルを用いた遊技機であるスロットマシンに、メダル貸出機能及びメダル計数機能を有する遊技媒体貸出機が隣接配置される構成を、例に挙げて説明する。
【０００３】
特許文献１には、遊技機の一例としてスロットマシンが記載されている。即ち、スロットマシンが、遊技者に操作部の操作に応じてリールの回転／停止による遊技を行わせ、この遊技結果に応じてメダル受け皿へメダルの払い戻しを行う。この払い戻しは、メダル払出ホッパー（以降、単にホッパーともいう）に、払い戻しのためのメダルを所定量（例えば２００枚）貯留しておき、メダル払出機が、払い戻す枚数のメダルをホッパーから受け取り、計数しながらメダル受け皿へ排出して行われる。
【０００４】
また、ホッパー内に所定量を超えるメダルが流入すると、そのメダルを余剰メダルとしてホッパーから自然落下により排出する。この排出された余剰メダルは余剰メダル計数機で計数されながら、メダル回収路を介して回収コンベアへ落下して回収される。
【０００５】
特許文献２に記載のメダル供給機（遊技媒体貸出機）は、スロットマシンのメダル投入口にメダルを自動的に投入するものである。このメダル供給機では、遊技者により獲得メダル投入口へ投入された獲得メダルが下部ホッパーに貯留された後に、メダル計数機で計数されて排出路から回収ライン（回収コンベア）へ排出されて回収されるようになっている。
【先行技術文献】
【特許文献】
【０００６】
【特許文献１】特開２００１−６３５号公報
【特許文献２】特開２００７−２６００７４号公報
【発明の概要】
【発明が解決しようとする課題】
【０００７】
しかし、上記特許文献１の遊技機及び特許文献２の遊技媒体貸出機においては、メダルを計数後に回収コンベアへ排出するが、回収コンベアが何らかの故障で停止した場合、メダルが回収コンベア上に溜まり、この溜まるメダルがメダル通路を更に上方へと溜まっていってしまう。この理由から、回収コンベアの上流側の計数機で計数したメダルを回収コンベアへ排出できなくなるので、計数機を停止させてしまう。このため、遊技者の取得メダル計数動作を中断させてしまうという問題が生じる。
【０００８】
そこで、本発明は、このような事情に鑑みてなされたものであり、回収コンベアの故障停止時に、メダル計数機が停止する可能性を低減することで、遊技者の取得メダル計数動作の中断を無くす可能性を高めることができる遊技媒体回収装置を提供することを課題とする。
【課題を解決するための手段】
【０００９】
前記課題を解決するために、本発明の遊技媒体回収装置は、遊技媒体使用機で使用した遊技媒体を、前記遊技媒体使用機の排出部から回収搬送手段へ向けて排出して回収する遊技媒体回収装置であって、前記排出部よりも下方に配置され、遊技媒体を貯留する貯留箱と、前記排出部と、この排出部よりも下方側に位置する前記回収搬送手段及び前記貯留箱との間に設置され、該排出部から落下した遊技媒体を、該回収搬送手段及び前記貯留箱の何れか一方に誘導する誘導手段とを備えることを特徴とする。
その他の手段については後記する。
【発明の効果】
【００１０】
本発明によれば、回収コンベアの故障停止時に、メダル計数機が停止する可能性を低減することで、遊技者の取得メダル計数動作の中断を無くす可能性を高めることができる遊技媒体回収装置を提供することができる。
【図面の簡単な説明】
【００１１】
【図１】本発明の第１実施形態に係る遊技媒体貸出機の構成を示し、（ａ）は遊技媒体貸出機の外観構成を示す正面図、（ｂ）は遊技媒体貸出機の右側面図である。
【図２】スロットマシン（遊技機）と遊技媒体貸出機との外観正面図である。
【図３】第１実施形態の遊技媒体貸出機の構成を示し、（ａ）は計数メダル通路を示す斜視図、（ｂ）は払出メダル通路を示す斜視図である。
【図４】第１実施形態の遊技媒体貸出機の右側面側の内部構成を示す図である。
【図５】第１実施形態の遊技媒体貸出機のメダル貯留機構を示し、（ａ）は傾斜板の斜視図、（ｂ）は傾斜板の開口を閉塞状態にシャッタ板が位置する様態を示す斜視図、（ｃ）は傾斜板の開口を全開状態にシャッタ板が位置する様態を示す斜視図である。
【図６】第１実施形態の遊技媒体貸出機のメダル貯留機構によるメダル貯留動作を説明するためのフローチャートである。
【図７】本発明の第２実施形態に係る遊技媒体貸出機のメダル貯留機構の構成を示し、（ａ）は傾斜板の開口を第１シャッタ板で塞ぎ、第２シャッタ板が計数メダル通路を開通した状態を示す側面図、（ｂ）は開口を全開とし、第２シャッタ板で計数メダル通路を遮断した状態を示す側面図である。
【図８】本発明の第３実施形態に係る遊技媒体貸出機の側面側の内部構成を示す図である。
【図９】第３実施形態の遊技媒体貸出機のメダル貯留機構の構成を示し、（ａ）は傾斜板の開口を閉塞状態にシャッタ板が位置する様態を示す側面図、（ｂ）は傾斜板の開口を全開状態にシャッタ板が位置する様態を示す側面図である。
【図１０】本発明の第４実施形態に係る遊技媒体貸出機のメダル貯留機構の構成を示す側面図である。
【図１１】第４実施形態のメダル貯留機構の構成を示し、（ａ）はメダルが回収コンベアへ落下する状態を示す斜視図、（ｂ）はメダルが貯留箱へ落下する状態を示す斜視図である。
【図１２】本発明の第５実施形態に係る遊技媒体貸出機のメダル貯留機構の構成を示し、（ａ）はメダルが回収コンベアへ落下する状態を示す側面図、（ｂ）はメダルが貯留箱へ落下する状態を示す側面図である。
【図１３】本発明の第６実施形態に係るスロットマシンの内部構成を示す正面図である。
【発明を実施するための形態】
【００１２】
以下、本発明の実施形態を、図面を参照して説明する。
＜第１実施形態の構成＞
図１（ａ）は、本発明の第１実施形態に係る遊技媒体貸出機１２の外観構成を示す正面図、（ｂ）は遊技媒体貸出機（遊技媒体使用機）１２の右側面図である。図２はスロットマシン（遊技媒体使用機）１１と遊技媒体貸出機１２との外観正面図である。なお、遊技媒体貸出機１２は、単に、貸出機１２とも記載する。
【００１３】
本実施形態の遊技媒体貸出機１２の特徴は、図１（ａ）及び（ｂ）に示すように、貸出機１２の底面の下方に、本発明の特徴要素である遊技媒体回収装置としてのメダル貯留機構３０を備えた点にある。なお、メダル貯留機構３０は、第１のメダル貯留機構３０ともいう。
【００１４】
メダル貯留機構３０は、メダル回収コンベア（回収搬送手段）４１が故障停止した際に計数後のメダルを、メダル回収コンベア４１へ排出しないで、貯留箱３４に貯留するものである。このメダル貯留機構３０の詳細な説明は、次の貸出機１２及びスロットマシン１１の基本構成の説明後に行う。なお、メダル回収コンベア４１は、単に、回収コンベア４１ともいう。
【００１５】
貸出機１２は、図２に示すようにスロットマシン１１に隣接配置されている。
スロットマシン１１は、遊技者が遊技媒体としてのメダルを用いて遊技を行うものである。このスロットマシン１１は、正面に、表示窓１４ａと、リール１４Ｒ（図１３参照）の回転を開始するためのレバー１４ｂと、回転したリール１４Ｒを停止するためのストップボタン１４ｃとを有する遊技操作部１４を備える。更に、スロットマシン１１は、正面に、メダル投入口１３及びメダル受け皿１６が設けられており、メダル投入口１３へのメダルの投入を条件に、遊技操作部１４を操作する遊技者に、表示窓１４ａから見えるリール１４Ｒの回転／停止による遊技を行わせる。そして、遊技の結果に応じてメダル受け皿１６へメダルの払い戻しを行う。
【００１６】
貸出機１２は、スロットマシン１１で遊技する遊技者に貨幣の投入額に応じた枚数のメダルを貸し出すと共に、遊技者が遊技で取得したメダルを計数するものである。
【００１７】
この貸出機１２は、図１（ａ）及び（ｂ）に示すように、外形が縦長直方体形状を成し、箱形の架台１上に設置されており、上方部分に貨幣投入口２１を備え、下方部分に払出計数部２２と、ノズル２３を備える。更に、貸出機１２は、内部に、制御部２５と、払出ホッパー２６と、計数ホッパー２７とを備える。なお、図示はしないが、スロットマシン１１も貸出機１２と共に架台１上に設置されている。
【００１８】
貨幣投入口２１は、遊技者により投入される貨幣の投入口である。
ノズル２３は、ノズル本体２３ａとノズルトップ２３ｂから構成され、払出ホッパー２６から払い出されるメダルを、スロットマシン１１のメダル受け皿１６（図２参照）に誘導する。
制御部２５は、貸出機１２における各種制御を行う。
払出ホッパー２６は、制御部２５の指示により所定枚数のメダルを払い出す。
計数ホッパー２７は、計数したメダルの枚数を制御部２５に伝える。
【００１９】
払出計数部２２は、図３（ａ）に示すように、遊技者が計数のために投入するメダルを受ける計数メダル受皿部２４と、計数メダル受皿部２４から計数ホッパー２７までの計数メダル通路（破線矢印Ｐ１で示し、以降、計数メダル通路Ｐ１ともいう）の少なくとも一部と、図３（ｂ）に示すように、払出ホッパー２６からノズルトップ２３ｂまでの払出メダル通路Ｐの少なくとも一部とを一体の部材として構成したものである。
【００２０】
なお、図３の斜視図において、貸出機１２の「上」、「下」、「左」、「右」、「前（正面）」、「後（背面）」の各方向を矢印で示した。他の図についてもそれにならうものとする。
計数メダル受皿部２４は、図３（ａ）に示すように上方側に開口する開口部を有する。開口部は、払出計数部２２の上部に設けられ、鉛直方向の上向きに開口しており、遊技者が計数のために投入するメダルを受ける部分である。なお、開口部は、上向きだけでなく、斜め上方向に開口していてもよい。
【００２１】
更に、貸出機１２は、図４に内部構成を示すように、計数ホッパー２７の上端にオートスタートセンサ（以降、単にセンサともいう）２８を備え、計数ホッパー２７の下方に下方向誘導部（排出部）２９を備える。
センサ２８は、計数メダル受皿部２４から投入されたメダルがセンサ２８の近傍を通過すると、そのメダルを検知して検知信号を制御部２５（図１参照）へ送出する。
【００２２】
制御部２５は、その検知信号に応じて計数ホッパー２７の計数動作を始動する制御を行う。
なお、図４に示すセンサ２８の位置は、払出計数部２２の計数メダル受皿部２４から計数ホッパー２７に至る間の計数メダル通路Ｐ１の途中であれば、どの位置でもよい。
【００２３】
また、計数メダル通路Ｐ１は、本例では、計数ホッパー２７でメダルが計数された後、回収コンベア４１へ排出されて回収されるまでの経路も含む。即ち、計数メダル通路Ｐ１は、破線で示すように、計数メダル受皿部２４から入って計数ホッパー２７を通過し、更に下方向誘導部２９から下方へ向かい、メダル貯留機構３０を通って回収コンベア４１へ至る経路をいう。
【００２４】
回収コンベア４１は、図４において、上記の「左」及び「右」の方向に延びており、計数ホッパー２７で計数後に回収されるメダル、又は、スロットマシン１１から回収されるメダルを、図示せぬメダル循環補給装置（循環補給機構ともいう）まで運搬する。メダル循環補給装置は、メダルの自動回収及び自動補給を行うものとして周知であり、回収したメダルを再びスロットマシン１１及び貸出機１２へ補給する。
【００２５】
次に、図１及び図４に示したメダル貯留機構３０について説明する。
メダル貯留機構３０は、図４に示すように、下方向誘導部２９の下方に、上記の「前」から「後」に下がって斜めに設置された長方形状の傾斜板（遊技媒体誘導部材）３１と、この傾斜板３１の面に沿って上下にスライド自在に配設された長方形の板状のシャッタ板３２と、このシャッタ板３２を傾斜板３１の面に沿って上下にスライド移動させる駆動部３３と、傾斜板３１の下方に配置された貯留箱３４とを備えて構成されている。
【００２６】
傾斜板３１は、下方向誘導部２９から下方に自由落下するメダルを受け止め、この受け止めたメダルを回収コンベア４１まで滑らせたり、転がらせたりして移動できるように斜めに設置されている。つまり、傾斜板３１は、下方向誘導部２９の下方に、回収コンベア４１に向かって下がる状態で斜めに配置され、その下辺が回収コンベア４１の上方に位置するように配置されている。なお、本例では傾斜板３１の下辺としているが、その下辺（又は辺と表現）を含む傾斜板３１の下部であればよい。以降、傾斜板３１、図１０に示す傾斜板７１については同様とする。
また、傾斜板３１は、図５（ａ）に示すように、下方向誘導部２９（図４参照）からのメダルの落下位置又はこの落下位置の上流側か下流側に開口３１ａが設けられている。更に、傾斜板３１は、傾斜方向の両側の辺に、開口３１ａの形成面に対して垂直に立つ側面を有する。
【００２７】
シャッタ板３２は、図５（ｂ）に示すように、当該シャッタ板３２の上端部に、細く柔軟なワイヤ等の接続線３３ａの一端が接続されており、この接続線３３ａの他端は滑車３３ｂを介して駆動部３３に接続されている。このような接続によってシャッタ板３２は、通常、傾斜板３１に開口３１ａを塞ぐ状態に配置されている。
このシャッタ板３２が傾斜板３１を塞ぐ状態では、破線矢印Ｐ１で示すように、下方向誘導部２９（図４参照）から落下してきたメダルＭが、傾斜板３１で受け止められ、この位置から滑ったり転がったりして回収コンベア４１まで落下する。
【００２８】
また、シャッタ板３２は、後述のように回収コンベア４１が故障停止した場合、図５（ｃ）に示すように、駆動部３３により、矢印Ｙ１方向に開口３１ａが全て露出（全開）する状態まで引き上げられる。この状態では、破線矢印Ｐ１で示すように、下方向誘導部２９（図４参照）から落下してきたメダルＭは、開口３１ａを通って貯留箱３４の中に落下するようになっている。
【００２９】
駆動部３３は、モータを含むアクチュエータにより構成され、接続線３３ａがモータの回転軸に取り付けられている。この駆動部３３は、回収コンベア４１が故障停止した際に電源がオンとなって、接続線３３ａを巻き上げることにより、シャッタ板３２を矢印Ｙ１方向に開口３１ａが全て露出する状態まで引き上げ、この位置でシャッタ板３２を保持する動作を行う。
【００３０】
一方、駆動部３３は、回収コンベア４１の故障が復旧した際に、電源がオフとなって、接続線３３ａを巻き上げた状態でのシャッタ板３２を保持する力が解除され、空転状態となる。この空転状態では、上記の保持されたシャッタ板３２が自重で矢印Ｙ２で示す方向に下がって、図５（ｂ）に示すように開口３１ａを全て塞ぐ状態に戻る。つまり、接続線３３ａは、開口３１ａを全て塞ぐ状態のシャッタ板３２の上端位置から、駆動部３３の接続位置までの長さとされている。
【００３１】
駆動部３３の電源のオン又はオフは、制御部２５により制御される。即ち、制御部２５は、回収コンベア４１が故障停止した際に、図示せぬ監視装置から故障停止信号が送られてくると駆動部３３の電源をオンとし、回収コンベア４１の故障が復旧した際に、監視装置から復旧信号が送られてくると電源をオフとする制御を行う。
つまり、制御部２５は、回収コンベア４１の故障停止を検知した際に、駆動部３３の電源をオンとすることにより、駆動部３３に、シャッタ板３２を傾斜板３１の開口３１ａを塞ぐ位置から、開口３１ａが全開状態となるまで移動させて保持する動作を行わせる第１制御を行う。なお、全開状態としなくてもメダルが通過可能な程度の開放状態でもよい。
一方、制御部２５は、回収コンベア４１の復旧を検知した際に、駆動部３３の電源をオフとすることにより、駆動部３３に、シャッタ板３２を保持状態から開口３１ａを塞ぐ位置まで移動させる動作を行わせる第２制御を行う。
また、メダル貯留機構３０は、図４に示すように、貸出機１２が載置された架台１の内部に配置されており、店員等が手動で、架台１の前面に設けられた扉（又は腰板）１ａを開けて、貯留箱３４を取り出して、入っているメダルを循環補給機構に戻し、空になった貯留箱３４を、所定位置にセットしたりできるようになっている。
【００３２】
＜第１実施形態の動作＞
次に、第１実施形態に係る遊技媒体貸出機１２のメダル貯留機構３０によるメダル貯留動作を、図６に示すフローチャートを参照して説明する。
ステップＳ１において、図４に示す回収コンベア４１が正常動作中に、遊技者が計数メダル受皿部２４に、スロットマシン１１（図２参照）の遊技で取得した多数のメダルを計数するために投入したとする。この際、回収コンベア４１が正常動作中なので、傾斜板３１の開口３１ａはシャッタ板３２で塞がれた状態となっている。
【００３３】
上記ステップＳ１で投入されたメダルは、ステップＳ２において、図４に示す計数メダル通路Ｐ１にて、センサ２８の近傍を通過して検知されると、制御部２５の制御により計数ホッパー２７がメダルの計数動作を行う。この計数後に、ステップＳ３において、下方向誘導部２９から下方の傾斜板３１へ落下し、更に傾斜板３１の上を滑るか転がるかして回収コンベア４１へ落下し、回収される。
【００３４】
ここで、ステップＳ４において、制御部２５が、回収コンベア４１が故障停止したか否かを判断する。この判断は、制御部２５に、監視装置から故障停止信号が送られてきた際に故障停止、送られてこない場合に故障停止で無い、つまり正常動作中と判断する。
従って、制御部２５が、回収コンベア４１が正常動作中であると判断（Ｎｏ）すると、上記ステップＳ１〜Ｓ３の動作が繰り返される。
【００３５】
一方、上記ステップＳ４において、制御部２５が回収コンベア４１が故障停止したと判断（Ｙｅｓ）すると、ステップＳ５において、制御部２５が駆動部３３の電源をオンとする。このオンによって、ステップＳ６において、駆動部３３が、図５（ｃ）に示すように、シャッタ板３２を矢印Ｙ１方向に、開口３１ａが全て露出する状態（開放状態）まで引き上げ、この位置でシャッタ板３２を保持する。
【００３６】
これによって、開口３１ａが露出するので、ステップＳ７において、破線矢印Ｐ１で示すように、下方向誘導部２９（図４参照）から落下するメダルＭが、開口３１ａを通過して貯留箱３４の中に落下し、貯留される。
【００３７】
ここで、ステップＳ８において、制御部２５が回収コンベア４１が復旧したか否かを判断する。この判断は、制御部２５に、監視装置から復旧信号が送られてきた際に復旧、送られてこない場合に故障停止中と判断されるものとする。
従って、制御部２５が、回収コンベア４１が故障停止中であると判断（Ｎｏ）すると、上記ステップＳ７の貯留動作が継続される。
【００３８】
一方、上記ステップＳ８において、制御部２５が回収コンベア４１が復旧したと判断（Ｙｅｓ）すると、ステップＳ９において、制御部２５が駆動部３３の電源をオフとする。このオフによって、ステップＳ１０において、駆動部３３のシャッタ板３２を保持する力が解除され、空転状態となる。この空転状態によって、ステップＳ１１において、上記ステップＳ６で保持されたシャッタ板３２が自重で矢印Ｙ２で示す方向に下がり、図５（ｂ）に示すように開口３１ａを全て塞ぐ位置に戻る。これによって、上記ステップＳ１からの動作が可能となる。
【００３９】
また、上記ステップＳ７でメダルが貯留された貯留箱３４は、店員等が手動で、図４に示す架台１の前面の扉１ａを開けて取り出す。この取り出しは、例えばステップＳ７における貯留動作中に、貯留箱３４がメダルで満杯となる際にも行われる。この場合は、店員等によって、空の貯留箱３４と交換されることになる。
【００４０】
＜第１実施形態の効果＞
このような第１実施形態の遊技媒体貸出機１２は、図４に示すように、スロットマシン１１での遊技後に計数したメダルを、排出部としての下方向誘導部２９から、メダルを搬送回収する回収搬送手段としての回収コンベア４１へ排出する。この際に、下方向誘導部２９から排出されるメダルを、遊技媒体回収装置としてのメダル貯留機構３０で回収するようにした。
即ち、遊技媒体貸出機１２は、図２に示すように、メダルを用いて遊技を行うスロットマシン１１に隣接して設置され、図１に示すように、遊技者により貨幣が投入された際に所定数のメダルを払い出す払出機能としての払出ホッパー２６と共にメダルの計数機能としての計数ホッパー２７を有する払出計数部２２と、計数機能による計数後のメダルを、メダルを搬送回収する回収コンベア４１へ落下させる下方向誘導部２９を有する。
【００４１】
この遊技媒体貸出機１２の特徴は、図４に示すように、下方向誘導部２９よりも下方に配置され、メダルを貯留する貯留箱３４と、傾斜板（遊技媒体誘導部材）３１及びシャッタ板３２による誘導手段とを有するメダル貯留機構３０を備えた点にある。なお、本実施形態では、遊技媒体誘導部材を開口３１ａを有する板状の傾斜板３１としたが、同様に開口３１ａを有していれば、板状でなくても、樋状や筒状であってもよい。
【００４２】
メダル貯留機構３０は、下方向誘導部２９よりも下方側に設置された回収コンベア４１との間に、回収コンベア４１へ向かって下る傾斜状態に設置され、下方向誘導部２９からのメダルの落下位置又はこの落下位置の上流側か下流側に、メダルを通過させて落下させる開口３１ａが形成された傾斜板３１と、傾斜板３１に、開口３１ａを塞ぐ状態で配置され、この配置位置から開口３１ａが開放状態となるまで移動して保持可能なシャッタ板３２と、メダルが開口３１ａを通過して落下する位置に配置され、落下したメダルを貯留する貯留箱３４とを備えて構成されている。
【００４３】
この構成によれば、回収コンベア４１が通常稼働中は、計数後のメダルが下方向誘導部２９から落下すると、シャッタ板３２が開口３１ａを塞いだ状態の傾斜板３１をメダルが滑るか転がるかして回収コンベア４１へ落下する。
【００４４】
ここで、回収コンベア４１が故障停止した際に、店員等が手動で、シャッタ板３２を開口３１ａが全開状態となるまで移動させて保持すると、下方向誘導部２９から落下するメダルが開口３１ａを通過して貯留箱３４へ落下して貯留される。このため、回収コンベア４１へはメダルが落下しなくなるので、従来のように、メダルが停止した回収コンベア４１上に溜まり更にはこの上方の通路に詰まってしまうということが無くなる。従って、回収コンベア４１の上流側の計数ホッパー２７を停止しなくても済む。このため、遊技者が取得メダル計数動作を中断したり、スロットマシン１１での遊技を中断したりすることを無くすことができる。
【００４５】
また、シャッタ板３２を、傾斜板３１の開口３１ａを全て塞ぐ配置位置から、開口３１ａが全開状態となるまで移動させて保持すると共に、保持状態から開口３１ａを全て塞ぐ配置位置まで移動させて保持する動作を行う駆動部３３を更に備える構成とした。
【００４６】
この構成によれば、シャッタ板３２の傾斜板３１における開口３１ａを全て塞ぐ配置位置から、開口３１ａが全開状態となるまで移動させて保持する動作と、保持状態から開口３１ａを全て塞ぐ配置位置まで移動させて保持する動作とを駆動部３３が行うので、店員等が手動で行わなくても済む。従って、シャッタ板３２を、迅速かつ適正に移動、保持することができる。
【００４７】
また、回収コンベア４１の故障停止を検知した際に、駆動部３３に、シャッタ板３２を傾斜板３１の開口３１ａを塞ぐ位置から、開口３１ａが全開状態となるまで移動させて保持する動作を行わせる第１制御と、回収コンベア４１の復旧を検知した際に、駆動部３３に、シャッタ板３２を保持状態から開口３１ａを塞ぐ位置まで移動させて保持する動作を行わせる第２制御とを行う制御部２５を更に備える構成とした。
【００４８】
この構成によれば、制御部２５の第１制御により、回収コンベア４１が故障停止した場合に、駆動部３３が、シャッタ板３２を傾斜板３１の開口３１ａを塞ぐ位置から、開口３１ａが全開状態となるまで移動させて保持する動作を行う。また、回収コンベア４１の復旧を検知した際に、制御部２５の第２制御により、駆動部３３が、シャッタ板３２を保持状態から開口３１ａを塞ぐ位置まで移動させて保持する動作を行う。このような動作を、制御部２５の制御によって自動で行うことができる。
【００４９】
＜第２実施形態の構成＞
図７は、本発明の第２実施形態に係る遊技媒体貸出機１２のメダル貯留機構３０Ａの構成を示し、（ａ）は傾斜板３１の開口３１ａを第１シャッタ板３２で塞ぎ、第２シャッタ板５２が計数メダル通路Ｐ１を開通した状態を示す側面図、（ｂ）は開口３１ａを全開とし、第２シャッタ板５２で計数メダル通路Ｐ１を遮断した状態を示す側面図である。メダル貯留機構３０Ａは、本発明の遊技媒体回収装置であり、第２のメダル貯留機構３０Ａともいう。
【００５０】
第２のメダル貯留機構３０Ａが、上述した第１のメダル貯留機構３０と異なる点は、メダル貯留機構３０の構成に加え、第２シャッタ板５２と、この第２シャッタ板５２が接続線５３ａで滑車５３ｂを介して接続された第２駆動部５３とを備えたことにある。
【００５１】
なお、第２のメダル貯留機構３０Ａでは、第２シャッタ板５２及び第２駆動部５３を更に備えたため、第１のメダル貯留機構３０でのシャッタ板３２を第１シャッタ板３２、駆動部３３を第１駆動部３３と称して区別を明確にする。
【００５２】
図７（ａ）に示すように、第２シャッタ板５２は、傾斜板３１における開口３１ａの下側の表面（以降、傾斜板３１の表面とも表現する）に対して垂直な方向に移動自在に載置されている。つまり、架台１（図１又は図４参照）に第２シャッタ板５２を載置するための載置台５５が後述のように取り付けられており、この載置台５５に第２シャッタ板５２が移動自在に配備されている。載置台５５は、傾斜板３１の表面に対して垂直な方向に、所定距離離れた位置となるように架台１に取り付けられている。
【００５３】
なお、載置台５５が、傾斜板３１の表面に対して垂直方向以外の交差方向に、所定距離離れた位置に取り付けられており、これによって、第２シャッタ板５２が、傾斜板３１の表面に対して交差方向に移動自在に載置されていてもよい。
【００５４】
第２駆動部５３は、第１駆動部３３と同様にモータを含むアクチュエータを用いて構成されており、第１シャッタ板３２が開口３１ａを塞ぐ状態では、第２シャッタ板５２を、傾斜板３１の表面からメダルＭの直径よりも離れた上方位置に、接続線５３ａを介して保持する。この保持は、第２駆動部５３の回転軸に取り付けられた接続線５３ａが巻き取られて保持する力により行われている。
【００５５】
その保持状態では、破線矢印Ｐ１で示すように、下方向誘導部２９（図４参照）から落下してきたメダルＭが、傾斜板３１で受け止められ、この位置から滑って又は転がって回収コンベア４１まで落下する。
【００５６】
一方、第２駆動部５３は、図７（ｂ）に示すように、第１シャッタ板３２が開口３１ａを全開する状態では、第２シャッタ板５２を、傾斜板３１の表面に垂直状態に当接する位置に保持する。言い換えれば、第２シャッタ板５２が計数メダル通路Ｐ１を遮断した状態とする。この遮断状態は、ここでは第２駆動部５３が第２シャッタ板５２を上述の上方位置に保持する力を解除して、空転状態となることにより、第２シャッタ板５２が自重で傾斜板３１の表面までスライドして当接することで行われている。
【００５７】
その遮断状態では、図７（ｂ）に破線矢印Ｐ１ａで示すように、下方向誘導部２９（図４参照）から落下してきたメダルＭが、傾斜板３１のエッジ等に当たり開口３１ａから貯留箱３４へ落ちず、回収コンベア４１の方へ跳ねたとしても、第２シャッタ板５２で受け止められる。この受け止められたメダルＭは、破線矢印Ｐ１ｂで示すように、貯留箱３４へ落下する。従って、メダルＭが回収コンベア４１の方へ行かないようになっている。つまり、メダルＭが確実に貯留箱３４へ落下するようになっている。従って、第２シャッタ板５２の傾斜板３１の表面への交差状態は、上から落下してくるメダルＭを受け止めて貯留箱３４へ落下させる角度でなければならない。また、メダルＭの傾斜板３１への落下位置より、開口３１ａが下流側又は上流側であっても、下方向誘導部２９から落下してきたメダルＭが、第２シャッタ板５２で受け止められて確実に貯留箱３４へ落下する。
【００５８】
制御部２５（図１参照）は、回収コンベア４１が故障停止した際に、図示せぬ監視装置から故障停止信号が送られてくると第１駆動部３３の電源をオンとして前述した第１制御を行うと共に、第２駆動部５３の電源をオフとして後述の第３制御を行う。即ち、図７（ｂ）に示すように、第１制御によって、第１シャッタ板３２が開口３１ａを全開する状態となり、第３制御によって、第２シャッタ板５２が、傾斜板３１の表面に交差状態に当接して計数メダル通路Ｐ１を遮断する状態となる。
この状態では、回収コンベア４１が故障停止しているので、メダルＭが回収コンベア４１の方へ行かず、確実に貯留箱３４へ落下する。
【００５９】
一方、制御部２５は、回収コンベア４１の故障が復旧した際に、監視装置から復旧信号が送られてくると、第１駆動部３３の電源をオフとして前述した第２制御を行うと共に、第２駆動部５３の電源をオンとして後述の第４制御を行う。即ち、図７（ａ）に示すように、第２制御によって、第１シャッタ板３２が開口３１ａを塞ぐ状態となり、第４制御によって、第２シャッタ板５２が傾斜板３１の表面から上方位置に所定間隔離れて保持される状態となる。
この状態では、回収コンベア４１が正常稼働しているので、メダルＭが計数メダル通路Ｐ１を通って回収コンベア４１へ落下する。
【００６０】
＜第２実施形態の効果＞
このような第２実施形態のメダル貯留機構３０Ａは、図５に示した第１実施形態のメダル貯留機構３０の構成に加え、図７に示すように、傾斜板３１の開口３１ａの下側の表面に、この表面と交差する方向に、表面への当接位置からメダルＭが通過可能な間隔に対応する距離離れた上方位置まで移動自在に配置され、この上方位置で保持可能な第２シャッタ板５２を更に備える構成とした。
【００６１】
この構成によれば、回収コンベア４１が故障停止した際に、図７に示すように、店員等が手動で、第１シャッタ板３２が開口３１ａを全開する状態とした際に、第２シャッタ板５２を傾斜板３１の表面に交差状態に当接する位置に保持する状態とする。これによって、下方向誘導部２９（図４参照）から落下してきたメダルＭが、傾斜板３１のエッジ等に当たり開口３１ａから貯留箱３４へ落ちず、回収コンベア４１の方へ跳ねたとしても、第２シャッタ板５２で受け止められ、貯留箱３４へ落下する。従って、回収コンベア４１の故障停止時に、メダルＭを回収コンベア４１へ落下させることなく、確実に貯留箱３４へ落下させることができる。
【００６２】
また、第２シャッタ板５２を、傾斜板３１の表面への当接位置から、上方位置まで移動させて保持すると共に、上方位置から表面への当接位置まで移動させる動作を行う第２駆動部５３とを更に備える構成とした。
【００６３】
この構成によれば、第２シャッタ板５２を、傾斜板３１の開口３１ａの下側の表面への当接位置から、上記の上方位置まで移動させて保持すると共に、上方位置から表面への当接位置まで移動させる動作を、第２駆動部５３が行うので、店員等が手動で行わなくても済む。従って、第２シャッタ板５２を、迅速かつ適正に移動、保持することができる。
但し、これと同時に、第１シャッタ板３２の移動、保持動作は、上述の第１実施形態のように第１駆動部３３で行われる。
【００６４】
また、制御部２５は、回収コンベア４１の故障停止を検知した際に、第１駆動部３３に前述した第１制御を行う共に、第２駆動部５３に、第２シャッタ板５２を傾斜板３１の表面に交差状態に当接する位置に移動する動作を行わせる第３制御を行う。更に、制御部２５は、回収コンベア４１の復旧を検知した際に、第１駆動部３３に前述した第２制御を行うと共に、第２駆動部５３に、第２シャッタ板５２を上方位置まで移動させて保持する動作を行わせる第４制御とを行う構成とした。
【００６５】
この構成によれば、回収コンベア４１が故障停止した場合と、復旧した場合との駆動部３３及び第２駆動部５３の動作を、制御部２５の制御によって自動で行うことができる。即ち、制御部２５は、回収コンベア４１の故障停止を検知すると、第１駆動部３３に第１制御を行うと共に、第２駆動部５３に第３制御を行い、また、回収コンベア４１の復旧を検知すると、第１駆動部３３に第２制御を行うと共に、第２駆動部５３に第４制御を行う。
【００６６】
＜第３実施形態の構成＞
図８は、本発明の第３実施形態に係る遊技媒体貸出機１２Ａの側面側の内部構成を示す図である。
この図８に示す遊技媒体貸出機１２Ａには、上述した遊技媒体貸出機１２（図４参照）の下方向誘導部２９（図４参照）に代え、計数ホッパー２７の後方側の背面方向に下方にメダル落下口を有する背面方向誘導部（排出部）５９が配設されている。
【００６７】
第３実施形態の特徴は、遊技媒体貸出機１２Ａにおいて、背面方向誘導部５９と回収コンベア４１との間に、メダル貯留機構３０Ｂを設けた点にある。メダル貯留機構３０Ｂは、本発明の遊技媒体回収装置であり、第３のメダル貯留機構３０Ｂともいう。
【００６８】
また、第１実施形態では計数メダル通路を破線矢印Ｐ１で表したが、第３実施形態では、破線矢印Ｐ１ｃで表す。即ち、計数メダル通路Ｐ１ｃは、計数メダル受皿部２４から入って計数ホッパー２７を通過し、更に背面方向誘導部５９から下方へ向かい、回収コンベア４１へ至る経路である。
【００６９】
第３のメダル貯留機構３０Ｂは、背面方向誘導部５９の下方に、傾斜板３１と、シャッタ板６１と、回転駆動部６２と、貯留箱３４とを備えて構成されている。
より詳細には、メダル貯留機構３０Ｂは、図９（ａ）に示すように、開口３１ａ（図５参照）が形成された傾斜板３１と、この傾斜板３１の開口３１ａを塞ぐ位置から、図９（ｃ）に示すように開口３１ａが全開する予め定められた位置に、下側の一辺を軸として矢印Ｙ４で示すように回転するシャッタ板６１と、図９（ａ）に示す矢印Ｙ５方向から見た図９（ｂ）に示すように、シャッタ板６１の下側の一辺に回転軸６２ａが固定された回転駆動部６２と、図９（ａ）及び（ｃ）に示すように、傾斜板３１の開口３１ａの下方に配置された貯留箱３４とを備えて構成されている。
【００７０】
回転駆動部６２は、図示せぬモータ及びスプリングを有するスプリングリターン式の電動アクチュエータであり、シャッタ板６１を当該シャッタ板６１の下側一辺を中心として上側他辺が弧を描くように回転させるものである。
この回転駆動部６２は、電源をオンとした際にモータへ通電が行われ、この際のモータの回転力でスプリングが巻き上げられると共に回転軸６２ａが回転する。この回転によりシャッタ板６１が図９（ａ）に示した傾斜板３１の開口３１ａを塞ぐ位置から回収コンベア４１へ向かって（開口３１ａを塞ぐ位置から該開口３１ａから離反する方向に向かって）、図９（ｃ）に示すように、予め定められた角度回転し、この位置でシャッタ板６１を保持するようになっている。
【００７１】
但し、予め定められた角度とは、図９（ｃ）に示すように、開口３１ａが上方に向かって全開するようにシャッタ板６１が回転移動し、更にシャッタ板６１の開口３１ａを塞ぐ側の閉塞面が、破線矢印Ｐ１ｃで示す背面方向誘導部５９（図８参照）からのメダルＭの落下方向（鉛直方向）を向く角度である。この角度で保持されるシャッタ板６１は、メダルＭが回収コンベア４１に到達しないように計数メダル通路Ｐ１ｃを遮断する状態となる。なお、図９（ｃ）における破線矢印Ｐ１ｃは、メダルＭがシャッタ板６１の閉塞面上に落ちた場合の状態を示すものである。
【００７２】
一方、回転駆動部６２は、電源をオフとした際にモータへの通電が切れ、モータ通電時の回転力で巻き上げたスプリングの蓄勢力を解除し、この解除によるスプリングの戻しトルクで回転軸６２ａを逆回転させてシャッタ板６１を、開口３１ａを塞ぐ位置に戻す。つまり、回転駆動部６２の電源をオフとすると、シャッタ板６１はバネ力で元の開口３１ａを塞ぐ位置に戻る。
【００７３】
回転駆動部６２の電源のオン、オフは、制御部２５によって行われる。即ち、制御部２５は、回収コンベア４１が故障停止した際に、図示せぬ監視装置から故障停止信号が送られてくると回転駆動部６２の電源をオンとし、回収コンベア４１の故障が復旧した際に、監視装置から復旧信号が送られてくると電源をオフとする制御を行う。
【００７４】
このような構成の遊技媒体貸出機１２Ａにおいて、回収コンベア４１が正常稼働中は、回転駆動部６２の電源はオフとなっており、図９（ａ）に示すように、シャッタ板６１が傾斜板３１の開口３１ａを塞いでいる。このため、背面方向誘導部５９（図８参照）から破線矢印Ｐ１ｃで示すように落下してきたメダルＭが、傾斜板３１で受け止められ、この位置から滑ったり転がったりして回収コンベア４１へ落下する。
【００７５】
一方、回収コンベア４１が故障停止したことが制御部２５で検知されると、制御部２５の制御によって、回転駆動部６２の電源がオンとされる。このオンによって、回転駆動部６２の回転力で回転軸６２ａが回転し、図９（ｃ）に示すように、シャッタ板６１が、開口３１ａを全開して且つ予め定められた角度まで回転し、この回転した位置で保持される。この保持されたシャッタ板６１は、計数メダル通路Ｐ１ｃを遮断しているので、破線矢印Ｐ１ｃで示すように落下してきたメダルＭは、シャッタ板６１に当たって、回収コンベア４１の方へは落下せず、貯留箱３４へ落下する。
【００７６】
＜第３実施形態の効果＞
このような第３実施形態のメダル貯留機構３０Ｂは、図９（ａ）に示すように、傾斜板３１に載置されたシャッタ板６１の下側の一辺に回転軸６２ａが固定され、この固定された回転軸６２ａを回転させることにより、図９（ｃ）に示すように、シャッタ板６１を、傾斜板３１の開口３１ａを塞ぐ位置から回収コンベア４１に向かって、予め定められた角度回転させて保持する動作を行う回転駆動部６２を備える構成とした。
【００７７】
この構成によれば、回転駆動部６２の回転力で回転軸６２ａが回転することにより、シャッタ板６１が開口３１ａが全開し、且つ予め定められた角度まで回転し、この回転した位置で保持される。この保持されたシャッタ板６１は、計数メダル通路Ｐ１ｃを遮断しているので、破線矢印Ｐ１ｃで示すように落下してきたメダルＭを、シャッタ板６１で受け止め、回収コンベア４１の方へ落下させず、貯留箱３４へ落下させることができる。このような動作を回転駆動部６２が自動的に行うので、店員等が手動で行わなくても済む。従って、シャッタ板６１を、迅速かつ適正に回転移動、保持することができる。
【００７８】
また、回収コンベア４１の故障停止を検知した際に、回転駆動部６２に、シャッタ板６１を開口３１ａを塞ぐ位置から予め定められた角度回転させて保持する動作を行わせる制御と、回収コンベア４１の復旧を検知した際に、回転駆動部６２に、シャッタ板６１をその保持状態から開口３１ａを塞ぐ位置まで回転させて保持する動作を行わせる制御とを行う第２制御部としての制御部２５を備える構成とした。
【００７９】
この構成によれば、制御部２５の制御によって、回収コンベア４１が故障停止した場合に、回転駆動部６２が、シャッタ板６１を傾斜板３１の開口３１ａを塞ぐ位置から、開口３１ａが全開して予め定められた角度まで回転させて保持する動作と、回収コンベア４１が復旧した場合に、回転駆動部６２が、シャッタ板６１を保持状態から開口３１ａを塞ぐ位置まで回転移動させて保持する動作とを、自動で行うことができる。
【００８０】
上述した第３のメダル貯留機構３０Ｂは、傾斜板３１の上面側に開口３１ａの閉塞、開放を行うシャッタ板６１を備えた構成となっているが、シャッタ板６１を傾斜板３１の下面側に配置して、下面側においてシャッタ板６１が下方向に回転移動して開口３１ａを閉塞、開放するように構成してもよい。
これらの構成の第３のメダル貯留機構３０Ｂは、図４に示した貸出機１２にも適用可能である。また、第１及び第２のメダル貯留機構３０，３０Ａは、図８に示した貸出機１２Ａにも適用可能である。
【００８１】
＜第４実施形態の構成＞
図１０は、本発明の第４実施形態に係る遊技媒体貸出機１２のメダル貯留機構３０Ｃの構成を示す側面図である。図１１は、メダル貯留機構３０Ｃの構成を示し、（ａ）はメダルが回収コンベア４１へ落下する状態を示す斜視図、（ｂ）はメダルが貯留箱３４へ落下する状態を示す斜視図である。
但し、メダル貯留機構３０Ｃは、本発明の遊技媒体回収装置であり、第４のメダル貯留機構３０Ｃともいう。また、メダル貯留機構３０Ｃは、本実施形態では図４に示した貸出機１２に適用されているとするが、図８に示した貸出機１２Ａにも適用可能である。
【００８２】
図１０に示すように、メダル貯留機構３０Ｃは、下方向誘導部２９（図４参照）の下方に、貯留箱３４と、傾斜板７１及び駆動部７４の双方による誘導手段とを備えて構成されている。なお、貯留箱３４はその上端が、回収コンベア４１よりも低い位置に配置するのが好ましい。
【００８３】
駆動部７４は、回転軸７４ａを有するモータを含むアクチュエータにより構成され、傾斜板７１の裏面側の上辺近傍部分に配置され、回転軸７４ａが貸出機１２の架台１（図４参照）の上面に対して垂直方向に上向きとなる状態で配置されている。更に、回転軸７４ａの先端は、傾斜板７１の上辺近傍部分の裏面の幅方向中央位置に固定されている。
【００８４】
駆動部７４により回転軸７４ａが矢印Ｙ８で示す方向に回転すると、この回転によって傾斜板７１の下辺が、図１１（ｂ）に矢印Ｙ８ａで示すように水平方向に回転移動し、貯留箱３４の開口の上方に停止し、この位置で保持されるようになっている。
この保持状態から、回転軸７４ａが図１０に示す矢印Ｙ８と逆方向の矢印Ｙ９で示す方向に回転すると、傾斜板７１の下辺が、図１１（ａ）に矢印Ｙ９ａで示すように水平方向に回転移動し、回収コンベア４１の上方に停止し、この位置で保持されるようになっている。
【００８５】
駆動部７４による電源のオン、オフ及び傾斜板７１の回転移動の制御は、制御部２５（図１参照）によって行われる。即ち、制御部２５は、回収コンベア４１が故障停止した際に、図示せぬ監視装置から故障停止信号が送られてくると、駆動部７４の電源をオンとすると共に、回転軸７４ａを矢印Ｙ８で示す方向に回転させる制御を行う。この制御により、図１１（ｂ）に示すように傾斜板７１の下辺が回転移動して貯留箱３４の開口の上方に位置して停止する。この際、制御部２５は、駆動部７４の電源をオフする制御を行う。
【００８６】
また、制御部２５は、回収コンベア４１の故障が復旧した際に、監視装置から復旧信号が送られてくると、駆動部７４の電源をオンとすると共に、回転軸７４ａを矢印Ｙ９で示す方向に回転させる制御を行う。この制御により、図１１（ａ）に示すように傾斜板７１の下辺が回転移動して回収コンベア４１の上方に位置して停止する。この際、制御部２５は、駆動部７４の電源をオフする制御を行う。
【００８７】
このような構成のメダル貯留機構３０Ｃを用いた遊技媒体貸出機１２において、回収コンベア４１が正常稼働中は、図１１（ａ）に示すように、傾斜板７１の下辺が回収コンベア４１の上方に位置した状態となっている。このため、下方向誘導部２９（図４参照）から破線矢印Ｐ１で示すように落下してきたメダルＭが、傾斜板７１で受け止められ、この位置から滑ったり転がったりして回収コンベア４１へ落下する。
【００８８】
一方、回収コンベア４１が故障停止したことが制御部２５で検知されると、制御部２５の制御によって、駆動部７４の電源がオンとされると共に、回転軸７４ａが矢印Ｙ８で示す方向に回転する制御が行われる。この制御によって、傾斜板７１の下辺が矢印Ｙ８ａで示す方向に回転移動し、図１１（ｂ）に示すように、傾斜板７１の下辺が貯留箱３４の開口の上方に位置して停止する。この際、制御部２５は、駆動部７４の電源をオフする制御を行う。
【００８９】
この制御により図１１（ｂ）に示す位置で保持された傾斜板７１はその下辺が、貯留箱３４の開口の上方に位置しているので、破線矢印Ｐ１で示すように落下してきたメダルＭは、傾斜板７１の上面に落ちて、回収コンベア４１の方へは落下せず、貯留箱３４へ落下する。或いは、メダルが傾斜板７１を介さず、直接、貯留箱３４に落ちる場合もある。
【００９０】
＜第４実施形態の効果＞
このような第４実施形態のメダル貯留機構３０Ｃは、図１１（ａ）及び（ｂ）に示すように、下方向誘導部２９（図４参照）と回収コンベア４１との間に、回収コンベア４１へ向かって下る傾斜状態に設置され、破線矢印Ｐ１で示すように下方向誘導部２９から落下するメダルＭを受け止める面を有する遊技媒体誘導部材としての傾斜板７１を備える。この傾斜板７１は、この下辺が、回収コンベア４１の上方位置と、貯留箱３４の上方位置と相互間で移動可能となっている。
【００９１】
この構成によれば、回収コンベア４１が通常稼働中は、図１１（ａ）に破線矢印Ｐ１で示すように、下方向誘導部２９からメダルＭが落下すると、傾斜板７１の上面に落ちて、滑るか転がるかして回収コンベア４１へ落下する。
【００９２】
ここで、回収コンベア４１が故障停止した際に、店員等が手動で、図１１（ｂ）に示すように傾斜板７１を矢印Ｙ８ａ方向に移動させ、傾斜板７１の下辺が貯留箱３４の開口の上方に位置する状態で保持させる。これにより、下方向誘導部２９から落下するメダルが傾斜板７１の上面に落ちて、滑るか転がるかして貯留箱３４へ落下して貯留される。従って、メダルが停止した回収コンベア４１上に溜まって更に上方の通路に詰まることが無くなるので、遊技者が取得メダル計数動作を中断したり、遊技を中断したりすることを無くすことができる。
【００９３】
また、傾斜板７１の下辺が、回収コンベア４１の上方位置と、貯留箱３４の上方位置と相互間で移動するように、傾斜板７１を移動させる動作を行う駆動部７４と、回収コンベア４１の故障停止を検知した際に、駆動部７４に、傾斜板７１の下辺を回収コンベア４１の上方位置から貯留箱３４の上方位置まで移動させて保持する動作を行わせる制御と、回収コンベア４１の復旧を検知した際に、駆動部７４に、傾斜板７１の下辺を貯留箱３４の上方位置から回収コンベア４１の上方位置まで移動させて保持する動作を行わせる制御とを行う制御部２５とを備える構成とした。
【００９４】
この構成によれば、制御部２５の制御によって、回収コンベア４１が故障停止した場合に、駆動部７４が、傾斜板７１の下辺を回収コンベア４１の上方位置から貯留箱３４の上方位置まで移動させて保持する動作と、回収コンベア４１が復旧した場合に、駆動部７４が、傾斜板７１の下辺を貯留箱３４の上方位置から回収コンベア４１の上方位置まで移動させて保持する動作とを、自動で行うことができる。
【００９５】
＜第５実施形態の構成＞
図１２は、本発明の第５実施形態に係る遊技媒体貸出機１２のメダル貯留機構３０Ｄの構成を示し、（ａ）はメダルが回収コンベア４１へ落下する状態を示す側面図、（ｂ）はメダルが貯留箱３４へ落下する状態を示す側面図である。
但し、メダル貯留機構３０Ｄは、本発明の遊技媒体回収装置であり、第５のメダル貯留機構３０Ｄともいう。また、メダル貯留機構３０Ｄは、本実施形態では図４に示した貸出機１２に適用されているとするが、図８に示した貸出機１２Ａにも適用可能である。
【００９６】
図１２（ａ）に示すように、メダル貯留機構３０Ｄは、下方向誘導部２９（図４参照）の下方に、貯留箱３４と、傾斜板（遊技媒体誘導部材）８１及び駆動部７６の双方による誘導手段とを備えて構成されている。なお、貯留箱３４はその上端が、回収コンベア４１よりも低い位置に配置するのが好ましい。
【００９７】
傾斜板８１は、図１２（ａ）に示すように全体形状は上記の傾斜板７１と同形状であって同様に斜めに傾斜して配置されているが、図１２（ｂ）に示すように、長手方向の途中で分割できる第１傾斜板（第１部材）８１ａと第２傾斜板（第２部材）８１ｂとが組み合わさって構成されている。なお、傾斜板８１は、第１傾斜板８１ａと第２傾斜板８１ｂとを組み合わせた形状が、遊技媒体誘導部材としての一実施形態であって、このように板状でなくても、樋状や筒状であってもよい。
【００９８】
第１傾斜板８１ａは、図１２（ａ）に示すように、駆動部７６の回転軸７６ａに上記の傾斜板７１と同様に固定されている。即ち、回転軸７６ａが第１傾斜板８１ａの傾斜方向と直交する状態に、上辺近傍部分の一方の側面から他方の側面まで貫通して固定されている。第２傾斜板８１ｂは、図１２（ａ）及び（ｂ）に示すように、その下辺が回収コンベア４１の上方に位置する状態で斜めに傾斜して固定されている。
従って、第２傾斜板８１ｂは固定状態で移動しないが、第１傾斜板８１ａは回転軸７６ａの回転に伴って図１２（ｂ）に矢印Ｙ１０ａで示すように弧状に移動する。
【００９９】
駆動部７６により回転軸７６ａが図１２（ａ）に矢印Ｙ１０で示す方向に回転すると、この回転によって第１傾斜板８１ａの下辺が、図１２（ｂ）に矢印Ｙ１０ａで示すように下方に弧状に移動し、貯留箱３４の開口の上方に停止し、この位置で保持されるようになっている。
この保持状態から、回転軸７６ａが図１２（ａ）に示す矢印Ｙ１０と逆方向の矢印Ｙ１１で示す方向に回転すると、第１傾斜板８１ａの下辺が、図１２（ａ）に矢印Ｙ１１ａで示すように上方に弧状に移動し、第２傾斜板８１ｂと面一になって停止し、この位置で保持されるようになっている。
【０１００】
駆動部７６による電源のオン、オフ及び第１傾斜板８１ａの移動の制御は、制御部２５（図１参照）によって行われる。即ち、制御部２５は、回収コンベア４１が故障停止した際に、図示せぬ監視装置から故障停止信号が送られてくると、駆動部７６の電源をオンとすると共に、回転軸７６ａを矢印Ｙ１０で示す方向に回転させる制御を行う。この制御により、図１２（ｂ）に示すように第１傾斜板８１ａの下辺が下方に弧状に移動して貯留箱３４の開口の上方に位置して停止する。この際、制御部２５は、駆動部７６の電源をオフする制御を行う。
【０１０１】
また、制御部２５は、回収コンベア４１の故障が復旧した際に、監視装置から復旧信号が送られてくると、駆動部７６の電源をオンとすると共に、回転軸７６ａを矢印Ｙ１１で示す方向に回転させる制御を行う。この制御により、図１２（ａ）に示すように第１傾斜板８１ａの下辺が上方に弧状に移動し、第２傾斜板８１ｂと面一になって停止する。この際、制御部２５は、駆動部７６の電源をオフする制御を行う。
【０１０２】
このような構成のメダル貯留機構３０Ｄを用いた遊技媒体貸出機１２において、回収コンベア４１が正常稼働中は、図１２（ａ）に示すように、第１傾斜板８１ａと第２傾斜板８１ｂとの面一になって傾斜板８１を成し、この傾斜板８１の下辺が回収コンベア４１の上方に位置した状態となっている。このため、下方向誘導部２９（図４参照）から破線矢印Ｐ１で示すように落下してきたメダルＭが、傾斜板８１で受け止められ、この位置から滑ったり転がったりして回収コンベア４１へ落下する。
【０１０３】
一方、回収コンベア４１が故障停止したことが制御部２５で検知されると、制御部２５の制御によって、駆動部７６の電源がオンとされると共に、回転軸７６ａが矢印Ｙ１０で示す方向に回転する制御が行われる。この制御によって、図１２（ｂ）に示すように、第１傾斜板８１ａの下辺が矢印Ｙ１０ａで示す下方に弧状に移動し、第１傾斜板８１ａの下辺が貯留箱３４の開口の上方に位置して停止する。この際、制御部２５は、駆動部７６の電源をオフする制御を行う。
【０１０４】
この制御により図１２（ｂ）に示す位置で保持された第１傾斜板８１ａはその下辺が、貯留箱３４の開口の上方に位置しているので、破線矢印Ｐ１で示すように落下してきたメダルＭは、第１傾斜板８１ａに落ちて、回収コンベア４１の方へは落下せず、貯留箱３４へ落下する。或いは、メダルが第１傾斜板８１ａを介さず、直接、貯留箱３４に落ちる場合もある。
【０１０５】
＜第５実施形態の効果＞
このような第５実施形態のメダル貯留機構３０Ｄは、図１２（ａ）及び（ｂ）に示すように、下方向誘導部２９（図４参照）と回収コンベア４１との間に、回収コンベア４１へ向かって下る傾斜状態に設置され、破線矢印Ｐ１で示すように下方向誘導部２９から落下するメダルＭを受け止める面を有する遊技媒体誘導部材としての傾斜板８１を備える。
【０１０６】
この傾斜板８１は、互いが傾斜状態に一体に組み合わさる上方側の第１部材としての第１傾斜板８１ａと、下方側の第２部材としての第２傾斜板８１ｂとから成る。第２傾斜板８１ｂは、その下辺が回収コンベア４１の上方に位置するように固定状態に配置され、第１傾斜板８１ａは、第２傾斜板８１ｂとの組合せ側の辺が、貯留箱３４の上方位置と、第２傾斜板８１ｂとの組合せ位置との相互間で移動可能となっている。
【０１０７】
この構成によれば、回収コンベア４１が通常稼働中は、図１２（ａ）に破線矢印Ｐ１で示すように、下方向誘導部２９からメダルＭが落下すると、傾斜板８１の上面に落ちて、滑るか転がるかして回収コンベア４１へ落下する。
【０１０８】
ここで、回収コンベア４１が故障停止した際に、店員等が手動で、図１２（ｂ）に示すように第１傾斜板８１ａを矢印Ｙ１０ａ方向に移動させ、第１傾斜板８１ａの下辺が貯留箱３４の開口の上方に位置する状態で保持させる。これにより、下方向誘導部２９から落下するメダルが第１傾斜板８１ａの上面に落ちて、滑るか転がるかして貯留箱３４へ落下して貯留される。従って、メダルが停止した回収コンベア４１上に溜まって更に上方の通路に詰まることが無くなるので、遊技者が取得メダル計数動作を中断したり、遊技を中断したりすることを無くすことができる。
【０１０９】
また、第１傾斜板８１ａを、この第２傾斜板８１ｂとの組合せ側の辺が、貯留箱３４の上方位置と、第２傾斜板８１ｂとの組合せ位置との相互間で移動させる動作を行う駆動部７６と、回収コンベア４１の故障停止を検知した際に、駆動部７６に、第１傾斜板８１ａを第２傾斜板８１ｂとの組合せ位置から貯留箱の上方位置まで移動させて保持する動作を行わせる制御と、回収コンベア４１の復旧を検知した際に、駆動部７６に、第１傾斜板８１ａを貯留箱３４の上方位置から第２傾斜板８１ｂとの組合せ位置まで移動させて保持する動作を行わせる制御とを行う制御部２５とを備える構成とした。
【０１１０】
この構成によれば、制御部２５の制御によって、回収コンベア４１が故障停止した場合に、駆動部７６が、第１傾斜板８１ａの第２傾斜板８１ｂとの組合せ側の辺を貯留箱３４の上方位置まで移動させて保持する動作と、回収コンベア４１が復旧した場合に、駆動部７６が、第１傾斜板８１ａの第２傾斜板８１ｂとの組合せ側の辺を貯留箱３４の上方位置からの第２傾斜板８１ｂとの組合せ位置まで移動させて保持する動作とを、自動で行うことができる。
【０１１１】
＜第６実施形態の構成＞
図１３は、本発明の第６実施形態に係るスロットマシン１１の内部構成を示す正面図である。
第６実施形態のスロットマシン１１の特徴は、スロットマシン１１の下方に配置された余剰メダル計数部１９と、この下方に位置する回収コンベア４１との間に、上述した第１〜第５のメダル貯留機構３０，３０Ａ，３０Ｂ，３０Ｃ，３０Ｄの何れか１つを配設した点にある。
【０１１２】
スロットマシン１１は、内部に、３つのリール１４Ｒを有するリール機構部１４Ｍと、メダル補給筒１７と、メダル払出部１８と、余剰メダル計数部１９とを備えている。この余剰メダル計数部１９の下部に図示せぬ排出部が備えられている。
３つのリール１４Ｒは、前述した３つの表示窓１４ａ（図２参照）から見えるものであり、リール機構部１４Ｍが、各リール１４Ｒを回転自在に支持し、これを回転させるようになっている。リール機構部１４Ｍは、遊技者がレバー１４ｂ（図２参照）の操作を行うと各リール１４Ｒを回転させ、遊技者がストップボタン１４ｃ（図２参照）を押下するとリール１４Ｒの回転を停止する。
【０１１３】
メダル払出部１８は、例えば各リール１４Ｒをストップボタン１４ｃで停止させた際にそれぞれの絵柄が当たりパターンに該当すれば、メダル受け皿１６（図２参照）へのメダル払い戻しを行うものである。このためにメダル払出部１８は、メダル払出ホッパー（払出貯留手段）１８ａと、メダル払出機構１８ｂと、排出シュート１８ｃとを有する。
【０１１４】
メダル払出ホッパー（以降、単にホッパーともいう）１８ａは、払い戻しのためのメダルを所定量（例えば２００枚）貯留しておくものである。このホッパー１８ａは、メダル補給筒１７から落下してくるメダルＭを受け取って貯留する。
メダル払出機構１８ｂは、メダル受け皿１６へ払い戻すべき枚数のメダルをホッパー１８ａから受け取り、この受け取ったメダルをメダル受け皿１６へ排出する。
【０１１５】
排出シュート１８ｃは、ホッパー１８ａの上端側面に設けられており、ホッパー１８ａ内に所定量を超えるメダルが溜まった場合に、この溜まったメダルを溢れさせ、これを余剰メダルとしてホッパー１８ａから下方の余剰メダル計数部１９へ自然落下で排出する。
【０１１６】
また、メダル補給筒１７は、スロットマシン１１の外部からホッパー１８ａへメダルの補給を行うものである。即ち、メダル補給筒１７は、スロットマシン１１の外部から補給されるメダルを受け取り、この受け取ったメダルを自然落下でホッパー１８ａへ投入する。但し、ホッパー１８ａに投入されるメダルには、メダル補給筒１７からのメダルの他に、メダル投入口１３（図２参照）から投入されるメダルも含まれる。
余剰メダル計数部１９は、破線矢印Ｐ２で示すように、排出シュート１８ｃから排出された余剰メダルを受け取り、この余剰メダルの枚数を計数後に排出部（図示せず）から落下させる。
【０１１７】
＜第１のメダル貯留機構３０の適用例＞
このような構成のスロットマシン１１に、第１のメダル貯留機構３０（図４及び図５参照）が適用されている場合を説明する。
余剰メダル計数部１９の排出部から落下したメダルＭは、破線矢印Ｐ２ａで示すようにメダル貯留機構３０を介して回収コンベア４１へ落下するか、又は、破線矢印Ｐ２ｂで示すように、メダル貯留機構３０の貯留箱３４へ落下する。
【０１１８】
メダル貯留機構３０の動作は、上述の第１実施形態で説明したのと同様であるが、その制御は、スロットマシン１１の図示せぬ制御部により行われる。この制御部を、前述した制御部２５と区別するためにスロットマシン制御部という。
【０１１９】
即ち、スロットマシン制御部は、回収コンベア４１が故障停止時に、図示せぬ監視装置から故障停止信号が送られてくると図５（ｂ）及び（ｃ）に示した駆動部３３の電源をオンとし、回収コンベア４１の故障が復旧した際に、監視装置から復旧信号が送られてくると電源をオフとする制御を行う。
【０１２０】
この制御によって、回収コンベア４１が故障停止した際に、駆動部３３が、図５（ｂ）に示すシャッタ板３２を傾斜板３１の開口３１ａを塞ぐ位置から、図５（ｃ）に示す開口３１ａが全開状態となるまで移動させて保持する動作が行われる。また、回収コンベア４１が復旧した際に、駆動部３３が、図５（ｃ）に示すシャッタ板３２を保持状態から図５（ｂ）に示す開口３１ａを塞ぐ位置まで移動させて保持する動作が行われる。
【０１２１】
従って、回収コンベア４１が通常稼働中は、余剰メダル計数部１９での計数後のメダルが排出部から落下すると、シャッタ板３２が開口３１ａを塞いだ状態の傾斜板３１をメダルＭが滑るか、転がるかして回収コンベア４１へ落下する。
【０１２２】
ここで、回収コンベア４１が故障停止した場合、シャッタ板３２が、開口３１ａが全開状態となるまで移動されて保持されるので、余剰メダル計数部１９の排出部から落下するメダルが開口３１ａを通過して貯留箱３４へ落下して貯留される。このため、回収コンベア４１へはメダルが落下しなくなるので、従来のように、スロットマシン１１において、メダルが停止した回収コンベア４１上に溜まり更にはこの上方の通路に詰まってしまうということが無くなる。従って、回収コンベア４１の上流側の余剰メダル計数部１９及びメダル払出部（従来ではメダル払出機と表現）１８を停止させることがなくなる。このため、遊技者がスロットマシン１１での遊技を中断することを無くすことができる。
【０１２３】
上記では、シャッタ板３２の移動が、スロットマシン制御部で制御される駆動部３３により行われる例を説明した。しかし、第１実施形態の効果で説明した通り、スロットマシン制御部及び駆動部３３を備えない構成であって、店員等の手でシャッタ板３２の上記移動を行うようにしても良い。
【０１２４】
＜第２のメダル貯留機構３０Ａの適用例＞
次に、スロットマシン１１に第２のメダル貯留機構３０Ａ（図７参照）が適用されている場合を説明する。
この場合、図１３に示す余剰メダル計数部１９の排出部から落下したメダルＭは、破線矢印Ｐ２ａで示すようにメダル貯留機構３０Ａを介して回収コンベア４１へ落下するか、又は、破線矢印Ｐ２ｂで示すように、メダル貯留機構３０Ａの貯留箱３４へ落下する。
【０１２５】
このメダル貯留機構３０Ａの動作は、前述した第２実施形態で説明したと同様である。
即ち、スロットマシン制御部が、回収コンベア４１の故障停止を検知した際に、第１駆動部３３に前述した第１制御を行う共に、第２駆動部５３に前述した第３制御を行い、更に、回収コンベア４１の復旧を検知した際に、第１駆動部３３に前述した第２制御を行うと共に、第２駆動部５３に前述した第４制御を行う。
【０１２６】
この構成によれば、回収コンベア４１が故障停止した際に、第１及び第３制御によって、図７（ｂ）に示すように、第１シャッタ板３２が開口３１ａを全開する状態となり、更に、第２シャッタ板５２が傾斜板３１の表面に交差状態に当接する位置に保持状態となる。これによって、余剰メダル計数部１９（図１３参照）の排出部から落下してきたメダルＭが、破線矢印Ｐ１ａで示すように傾斜板３１のエッジ等に当たり開口３１ａから貯留箱３４へ落ちず、回収コンベア４１の方へ跳ねたとしても、第２シャッタ板５２で受け止められ、破線矢印Ｐ１ｂで示すように貯留箱３４へ落下する。従って、回収コンベア４１の故障停止時に、メダルＭを回収コンベア４１へ到達させること無く、確実に貯留箱３４へ落下させることができる。
【０１２７】
一方、回収コンベア４１の故障が復旧した際に、第２及び第４制御によって、図７（ａ）に示すように、第１シャッタ板３２が開口３１ａを塞ぐ状態となり、第２シャッタ板５２が傾斜板３１の表面から上方位置に所定間隔開けて保持される状態となる。これによって、余剰メダル計数部１９（図１３参照）の排出部から落下したメダルＭが、第１シャッタ板３２で受け止められ、この後、第１シャッタ板３２と第２シャッタ板５２との隙間を通過できるので、第１シャッタ板３２上を滑るか転がるかして、正常稼働中の回収コンベア４１へ落下する。
【０１２８】
このように、スロットマシン１１に第２のメダル貯留機構３０Ａを適用した場合、余剰メダル計数部１９の排出部から落下してきたメダルＭが、傾斜板３１のエッジ等に当たり開口３１ａから貯留箱３４へ落ちず、回収コンベア４１の方へ跳ねたとしても、第２シャッタ板５２で受け止められ、貯留箱３４へ落下する。従って、回収コンベア４１の故障停止時に、メダルＭを回収コンベア４１へ到達させること無く、確実に貯留箱３４へ落下させることができる。
【０１２９】
上記では、第１シャッタ板３２及び第２シャッタ板５２の移動が、スロットマシン制御部で制御される第１駆動部３３及び第２駆動部５３により行われる例を説明した。しかし、スロットマシン制御部及び第１駆動部３３及び第２駆動部５３を備えない構成であって、店員等の手で第１シャッタ板３２及び第２シャッタ板５２の上記移動を行うようにしても良い。
【０１３０】
＜第３のメダル貯留機構３０Ｂの適用例＞
次に、スロットマシン１１に第３のメダル貯留機構３０Ｂ（図８及び図９参照）が適用されている場合を説明する。
この場合、図１３に示す余剰メダル計数部１９の排出部から落下したメダルＭは、破線矢印Ｐ２ａで示すようにメダル貯留機構３０Ｂを介して回収コンベア４１へ落下するか、又は、破線矢印Ｐ２ｂで示すように、メダル貯留機構３０Ｂの貯留箱３４へ落下する。
【０１３１】
このメダル貯留機構３０Ｂの動作は、上述の第３実施形態で説明したと同様である。
即ち、スロットマシン制御部が、回収コンベア４１の故障停止を検知した際に、図９（ｃ）に示すように、回転駆動部６２の回転力で回転軸６２ａが回転することにより、シャッタ板６１が開口３１ａが全開して予め定められた角度まで回転し、この回転した位置で保持される。
【０１３２】
これによって、その保持されたシャッタ板６１が、余剰メダル計数部１９（図１３参照）の排出部から落下したメダルＭが回収コンベア４１へ落下する通路Ｐ２ａ（図１３参照）を遮断しているので、破線矢印Ｐ２（図１３参照）で示すように落下してきたメダルＭを、シャッタ板６１で受け止め、回収コンベア４１の方へ落下させず、貯留箱３４へ落下させることができる。
【０１３３】
一方、スロットマシン制御部が、回収コンベア４１の復旧を検知した際に、図９（ａ）に示すように、回転駆動部６２により、シャッタ板６１を上記保持状態から開口３１ａを塞ぐ位置まで回転させて保持する。
【０１３４】
これによって、余剰メダル計数部１９の排出部から落下したメダルＭがシャッタ板６１上を通って正常稼働中の回収コンベア４１へ落下する。
このように、スロットマシン１１に第３のメダル貯留機構３０Ｂを適用した場合、回収コンベア４１の故障停止時に、余剰メダル計数部１９の排出部から落下してきたメダルＭを、図９（ｃ）を参照するように、シャッタ板６１で受け止め、メダルＭを回収コンベア４１へ到達させることなく、確実に貯留箱３４へ落下させることができる。
【０１３５】
上記では、シャッタ板６１の移動が、スロットマシン制御部で制御される回転駆動部６２により行われる例を説明した。しかし、スロットマシン制御部及び回転駆動部６２を備えない構成であって、店員等の手でシャッタ板６１の上記回転移動を行うようにしても良い。
【０１３６】
＜第４のメダル貯留機構３０Ｃの適用例＞
次に、スロットマシン１１に第４のメダル貯留機構３０Ｃ（図１０及び図１１参照）が適用されている場合を説明する。
この場合、図１３に示す余剰メダル計数部１９の排出部から落下したメダルＭは、破線矢印Ｐ２ａで示すようにメダル貯留機構３０Ｃを介して回収コンベア４１へ落下するか、又は、破線矢印Ｐ２ｂで示すように、メダル貯留機構３０Ｃの貯留箱３４へ落下する。
【０１３７】
このメダル貯留機構３０Ｃの動作は、上述の第４実施形態で説明したと同様である。
即ち、スロットマシン制御部が、回収コンベア４１の故障停止を検知した際に、その制御部の制御によって、図１１（ａ）に示す駆動部７４の電源をオンとすると共に、回転軸７４ａを矢印Ｙ８（図１０参照）で示す方向に回転させる制御を行う。この制御により、図１１（ｂ）に示すように傾斜板７１の下辺が回転移動して貯留箱３４の開口の上方に位置して停止する。この際、制御部２５は、駆動部７４の電源をオフする制御を行う。
【０１３８】
この制御により図１１（ｂ）に示す位置で保持された傾斜板７１はその下辺が、貯留箱３４の開口の上方に位置しているので、破線矢印Ｐ１で示すように落下してきたメダルＭは、傾斜板７１の上面に落ちて、回収コンベア４１の方へは落下せず、貯留箱３４へ落下させることができる。
【０１３９】
一方、スロットマシン制御部が、回収コンベア４１の復旧を検知した際に、駆動部７４の電源をオンとすると共に、回転軸７４ａを矢印Ｙ９（図１０参照）で示す方向に回転させる制御を行う。この制御により、図１１（ａ）に矢印Ｙ９ａで示すように傾斜板７１が回転移動してその下辺が回収コンベア４１の上方に位置して停止する。更にスロットマシン制御部は、駆動部７４の電源をオフさせる。
【０１４０】
これによって、余剰メダル計数部１９の排出部から落下したメダルＭが傾斜板７１上を通って正常稼働中の回収コンベア４１へ落下する。
このように、スロットマシン１１に第４のメダル貯留機構３０Ｃを適用した場合、回収コンベア４１の故障停止時に、余剰メダル計数部１９の排出部から落下してきたメダルＭを、図１１（ｂ）を参照するように、貯留箱３４の上方に下辺が配置された傾斜板７１で受け止め、メダルＭを回収コンベア４１へ到達させることなく、確実に貯留箱３４へ落下させることができる。
【０１４１】
上記では、傾斜板７１の移動が、スロットマシン制御部で制御される駆動部７４により行われる例を説明した。しかし、スロットマシン制御部及び駆動部７４を備えない構成であって、店員等の手で傾斜板７１の上記回転移動を行うようにしても良い。
【０１４２】
＜第５のメダル貯留機構３０Ｄの適用例＞
次に、スロットマシン１１に第５のメダル貯留機構３０Ｄ（図１２参照）が適用されている場合を説明する。
この場合、図１３に示す余剰メダル計数部１９の排出部から落下したメダルＭは、破線矢印Ｐ２ａで示すようにメダル貯留機構３０Ｄを介して回収コンベア４１へ落下するか、又は、破線矢印Ｐ２ｂで示すように、メダル貯留機構３０Ｄの貯留箱３４へ落下する。
【０１４３】
このメダル貯留機構３０Ｄの動作は、上述の第５実施形態で説明したと同様である。
即ち、スロットマシン制御部が、回収コンベア４１の故障停止を検知した際に、その制御部の制御によって、図１２（ａ）に示す駆動部７６の電源をオンとすると共に、回転軸７６ａを矢印Ｙ１０で示す方向に回転させる制御を行う。この制御により、図１２（ｂ）に示すように第１傾斜板８１ａの下辺が下方に弧状に移動して貯留箱３４の開口の上方に位置して停止する。更に、スロットマシン制御部は、駆動部７６の電源をオフさせる制御を行う。
【０１４４】
この制御により図１２（ｂ）に示す位置で保持された第１傾斜板８１ａはその下辺が、貯留箱３４の開口の上方に位置しているので、破線矢印Ｐ１で示すように落下してきたメダルＭは、傾斜板７１の上面に落ちて、回収コンベア４１の方へは落下せず、貯留箱３４へ落下させることができる。
【０１４５】
一方、スロットマシン制御部が、回収コンベア４１の復旧を検知した際に、駆動部７６の電源をオンとすると共に、回転軸７６ａを矢印Ｙ１１で示す方向に回転させる制御を行う。この制御により、図１２（ａ）に示すように第１傾斜板８１ａの下辺が上方に弧状に移動し、第２傾斜板８１ｂと面一になって停止する。更に、スロットマシン制御部は、駆動部７６の電源をオフさせる。
【０１４６】
これによって、余剰メダル計数部１９の排出部から落下したメダルＭが傾斜板８１上を通って正常稼働中の回収コンベア４１へ落下する。
このように、スロットマシン１１に第５のメダル貯留機構３０Ｄを適用した場合、回収コンベア４１の故障停止時に、余剰メダル計数部１９の排出部から落下してきたメダルＭを、図１２（ｂ）を参照するように、貯留箱３４の上方に下辺が配置された傾斜板７１で受け止め、メダルＭを回収コンベア４１へ到達させることなく、確実に貯留箱３４へ落下させることができる。
【０１４７】
上記では、傾斜板７１の移動が、スロットマシン制御部で制御される駆動部７６により行われる例を説明した。しかし、スロットマシン制御部及び駆動部７６を備えない構成であって、店員等の手で傾斜板７１の上記移動を行うようにしても良い。
上述したように第６実施形態のスロットマシン１１は、ホッパー１８ａから溢れたメダルを、余剰メダル計数部１９の排出部から、回収コンベア４１へ排出する。この際に、余剰メダル計数部１９から排出されるメダルを、遊技媒体回収装置としての第１〜第５のメダル貯留機構３０，３０Ａ〜３０Ｄの何れかで回収するようにした。
【０１４８】
但し、上述したスロットマシン１１は、排出シュート１８ｃからのメダル落下位置に余剰メダル計数部１９を備える構成となっているが、余剰メダル計数部１９が無く、この代わりに、排出シュート１８ｃから落下するメダルを、第１〜第５のメダル貯留機構３０，３０Ａ〜３０Ｄの何れかへ排出する排出部としてのメダル排出通路（図示せず）を備えて構成してもよい。
この構成の場合、ホッパー１８ａから溢れたメダルが排出シュート１８ｃから落下し、この落下したメダルを、メダル排出通路を介して、回収コンベア４１又は、第１〜第５のメダル貯留機構３０，３０Ａ〜３０Ｄの何れかの貯留箱３４へ落下させることができる。
【０１４９】
この他、スロットマシン１１には、余剰メダル計数部１９が無く、この余剰メダル計数部１９の位置に、図示せぬオーバーフロー容器（単に、容器ともいう）が配設されている構成のものがある。
オーバーフロー容器は、排出シュート１８ｃから落下するメダルが通過して回収コンベア４１へ落下する筒型を成し、筒型の底に開口（排出部）を蓋してメダルが落下しないようにする落下防止板（図示せず）を備える。つまり、オーバーフロー容器の底の開口を落下防止板で塞ぎ、排出シュート１８ｃから落下するメダルを、所定量オーバーフロー容器に貯めることが可能となっている。更に、オーバーフロー容器は、容器内に溜まってゆくメダルの満杯を検知するセンサ（図示せず）を上端部に備えている。
【０１５０】
このような構成のスロットマシン１１の場合、回収コンベア４１が故障停止して警報が出力された際に、店員等が手動で次のような対応を行う必要があった。その警報出力を感知した店員等は、まず、オーバーフロー容器から回収コンベア４１へメダルが落下しないように、底の開口に落下防止板を取り付け開口を塞ぐ作業を行う。この作業によって、ホッパー１８ａから溢れて排出シュート１８ｃから落下するメダルがオーバーフロー容器に貯留されるので、遊技者は遊技を継続して行うことができる。
【０１５１】
この間、店員等は回収コンベア４１の修復を行う。この修復が長引いた場合、オーバーフロー容器がメダルで満杯となり、これがセンサで検知され、警報が出力される場合がある。この場合、店員等は、満杯となったオーバーフロー容器を取り出し、この中のメダルを循環補給機構に戻し、これにより、空になった容器を元の位置に戻す作業を行う。この作業中は、遊技を中断するケースも生じるが、その作業完了後に、遊技者は遊技を再開することができる。
【０１５２】
一方、回収コンベア４１の故障停止による警報時に、店員等が手動でオーバーフロー容器に落下防止板を取り付けるのが遅れた場合、停止状態の回収コンベア４１上に溜まったメダルが、容器の底の開口（排出部）から容器内を上方へ溜まってゆき、容器内を満たしてしまう。この場合、容器の上端部のセンサが満杯になったことを検知して警報を出力する。この時、遊技は中断される。
【０１５３】
この場合、その警報を感知した店員等が手動で、上記のようにオーバーフロー容器を取り出し、この中のメダルを循環補給機構に戻し、空になった容器を元の位置に戻す。これによって、遊技客は遊技を再開することができる。
【０１５４】
このように、回収コンベア４１が停止して回収コンベア４１上にメダルが溜まってゆくと、店員等が手動で、店内の多数のスロットマシン１１のオーバーフロー容器に落下防止板を取り付ける作業が発生する。更には、オーバーフロー容器が満杯になった場合、満杯になった容器を取り出してメダルを循環補給機構に戻し、容器を元の位置に戻すといった作業も発生する。これらの作業が、店内の多数のスロットマシン１１において発生するので、店員等は膨大な作業に追われることになり、非常に多忙となる不都合が生じていた。この際、遊技客は、遊技ができないという不都合も生じていた。
これらの不都合を、本発明の遊技媒体回収装置を用いれば、上述したように解消することが可能となる。
【０１５５】
以上で本実施形態の説明を終えるが、本発明の態様はこれに限定されるものではない。
具体的には、本実施形態では、第１〜第５のメダル貯留機構３０，３０Ａ〜３０Ｄを、スロットマシン１１の内部の余剰メダル計数部１９の排出部の下方に設けても良い。
また、第１及び第２のメダル貯留機構３０，３０Ａにおけるシャッタ板３２，５２のスライド移動は、シャッタ板３２，５２を上下からローラで挟んで、当該ローラを、モータを有する回転駆動部で回転又は逆回転させて行っても良い。
【０１５６】
その他、具体的な構成について、本発明の趣旨を逸脱しない範囲で適宜変更が可能である。
【符号の説明】
【０１５７】
１  架台
１１  スロットマシン（遊技媒体使用機）
１２，１２Ａ  遊技媒体貸出機（遊技媒体使用機）
１３  メダル投入口
１４  遊技操作部
１４ａ  表示窓
１４ｂ  レバー
１４ｃ  ストップボタン
１４Ｒ  リール
１４Ｍ  リール機構部
１６  メダル受け皿
１７  メダル補給筒
１８  メダル払出部
１８ａ  メダル払出ホッパー（払出貯留手段）
１８ｂ  メダル払出機構
１８ｃ  排出シュート
１９  余剰メダル計数部（計数手段）
２１  貨幣投入口
２３  ノズル
２３ａ  ノズル本体
２３ｂ  ノズルトップ
２５  制御部
２６  払出ホッパー
２７  計数ホッパー
２８  オートスタートセンサ
２９  下方向誘導部（排出部）
３０，３０Ａ，３０Ｂ，３０Ｃ，３０Ｄ  メダル貯留機構
３１  傾斜板
３１ａ  開口
３２，６１  シャッタ板
３３  駆動部（第１駆動部）
３３ａ，５３ａ  接続線
３３ｂ，５３ｂ  滑車
３４  貯留箱
４１  メダル回収コンベア（回収搬送手段）
５２  第２シャッタ板
５３  第２駆動部
５５  載置台
５９  背面方向誘導部（排出部）
６２  回転駆動部
６２ａ，７４ａ，７６ａ  回転軸
７１，８１  傾斜板
７４，７６  駆動部
８１ａ  第１傾斜板
８１ｂ  第２傾斜板
【図１】
2014217510.tif 000003
【図２】
2014217510.tif 000004
【図３】
2014217510.tif 000005
【図４】
2014217510.tif 000006
【図５】
2014217510.tif 000007
【図６】
2014217510.tif 000008
【図７】
2014217510.tif 000009
【図８】
2014217510.tif 000010
【図９】
2014217510.tif 000011
【図１０】
2014217510.tif 000012
【図１１】
2014217510.tif 000013
【図１２】
2014217510.tif 000014
【図１３】
2014217510.tif 000015